(57)【要約】【課題】信号の受信以前から表示していた主画像の表示を妨げることなく、ユーザに対し信号の受信があったことを明確に通知することのできる車載通信装置の提供。【解決手段】車両のナビゲーション装置は表示装置を備えている。表示装置の表示画面２１１には、地図画像である主画像ＰＧを表示可能な主表示部２１２と、主表示部２１２に主画像ＰＧが表示されている場合に、通信装置が車両外部からの信号を受信した時にユーザに通知するためのアイコンＳＧ１〜ＳＧ３を表示する縮退部２１３が並んで形成されている。アイコンＳＧ１〜ＳＧ３は主画像ＰＧよりも表示面積が小さく形成されている。縮退部２１３は複数のアイコンＳＧ１〜ＳＧ３が同時に表示可能なように形成されており、複数のアイコンＳＧ１〜ＳＧ３は通信装置による受信した順序に並べられて、縮退部２１３に表示されている。【選択図】図２
2008120169.tif 000002
【特許請求の範囲】
【請求項１】
車両外部からの信号を受信する受信手段と、
車室内に設けられ表示画面を具備した表示装置と、
前記受信手段によって受信した信号に基づいて、前記表示装置を制御可能な制御装置とを備え、
前記表示装置の表示画面は、主画像を表示可能な主表示部と該主画像よりも小さい面積の画像が表示される縮退部とが並んで形成され、
前記制御装置は前記主表示部に画像が表示されている時に、前記受信手段が信号を受信した場合に、信号を受信したことを通知する通知画像を前記縮退部に表示させることを特徴とする車載通信装置。
【請求項２】
前記縮退部は前記主画像よりも面積の小さい複数の前記通知画像が同時に表示可能であって、前記複数の通知画像は前記受信手段により信号が受信された順序に並べられて表示されることを特徴とする請求項１記載の車載通信装置。
【請求項３】
前記制御装置は、ユーザの操作があると前記縮退部に表示された前記通知画像のひとつについて、その受信した信号に基づく画像を前記主画像の代わりに前記主表示部に表示するとともに、前記主画像を示す画像を前記主画像の代わりに前記主表示部に表示された前記通知画像がかつて表示されていた前記縮退部の部位に表示することを特徴とする請求項１または２記載の車載通信装置。
【請求項４】
前記縮退部に表示された前記通知画像は、その受信した信号に基づく画像を前記主表示部に表示した後、あるいは前記受信手段による信号の受信が中断した時には消去されるとともに、消去した前記通知画像が表示されていた前記縮退部の部位は無表示となることを特徴とする請求項１乃至３のいずれかに記載の車載通信装置。
【発明の詳細な説明】
【技術分野】
【０００１】
本発明は、車両外部から信号を受信するとともに、受信した信号に基づいて表示装置への画像表示を行う車載通信装置に関する。
【背景技術】
【０００２】
車載通信装置として、セルラー通信部を備えたナビゲーション装置があった（例えば、特許文献１参照）。この従来技術は、ＧＰＳ（Global Positioning System）による位置検出信号に基づいて地図データ上の自車位置を演算し、表示装置にその位置を地図画像にかぶせて表示している。また、それととともに、セルラー部が受信した外部信号に基づいて、表示装置に受信情報を表示していた。通常、これらの車載通信装置においては、表示装置が単一の表示画面を有しており、同時に表示可能な画面はひとつのみであった。このため、表示画面にナビゲーション機能による地図等の画像を表示中に、外部からの信号を受信した場合、突然、それまで表示していた画像に代えて新たな受信信号による画像を表示していた。
【０００３】
ここで、それまで見ていたナビゲーションのための地図画像に代わり、突然に別の画像が表示されることは、ユーザが目的地までの正しい経路を把握する妨げとなっていた。特に、運転者にとっては受信した信号に基づく画像表示をすぐに見る余裕もなく、表示画面の急激な変化は、車両運転操作のために緊張を強いられる者にとって、その疲労が増す原因ともなっていた。また、受信信号による画像表示を以前の画像に戻すためには数ステップの戻し操作を強いられ、ユーザの更なる負担となっていた。
【０００４】
そこで、従来の車載通信装置においても、その作動モードの選択によっては、外部からの信号の受信があっても表示画面の急激な変化を避けるようにされたものがあった。すなわち、当該従来技術は表示装置の画面にナビゲーションによる地図画像が表示されている時に受信装置が外部信号を受信した場合、例えば、地図画像の下縁部に受信があった旨のメッセージを一時的に表示していた。これであれば、表示画面の急激な変化を避けることができ、ユーザがナビゲーション装置による目的地までの正しい経路を把握する妨げとなることはなかった。
【特許文献１】特開２００６−２４２９４５号公報（第７−８頁、第１図）
【発明の開示】
【発明が解決しようとする課題】
【０００５】
しかしながら、表示画面中の地図画像は時によっては複雑な道路形状や複数の工作物を表わすシンボル表示により込み入っており、上述した外部信号を受信したことを通知する表示の視認性は必ずしも十分ではなかった。また、複数の信号を立て続けに時間をおいて受信した場合、古い受信通知に関する表示は消去されていくため、ユーザの記憶からも薄れていくことが多かった。
【０００６】
本発明は、上記事情に鑑みてなされたものであり、その目的は、信号の受信以前から表示していた主画像の表示を妨げることなく、ユーザに対し信号の受信があったことを明確に通知することのできる車載通信装置を提供することにある。
【課題を解決するための手段】
【０００７】
本発明の課題を解決するために、請求項１の発明によれば、表示装置の表示画面は、主画像を表示可能な主表示部と主画像よりも小さい面積の画像が表示される縮退部とが並んで形成され、制御装置は主表示部に画像が表示されている時に、受信手段が信号を受信した場合に、信号を受信したことを通知する通知画像を縮退部に表示させる。このため、主表示部における主画像の表示を妨げることなく、通知画像を縮退部に表示することにより、ユーザに対し信号の受信があったことを明確に通知することができる。
【０００８】
請求項２の発明によれば、複数の通知画像は縮退部において受信手段により信号が受信された順序に並べられて表示されることにより、ユーザが信号を受信したことを受信順に認識することができる。
請求項３の発明によれば、ユーザの操作があると縮退部に表示された通知画像のひとつについて、その受信した信号に基づく画像を主画像の代わりに主表示部に表示するとともに、主画像を示す画像を主画像の代わりに主表示部に表示された通知画像がかつて表示されていた縮退部の部位に表示する。これにより、主表示部に表示されずに残された他の通知画像の表示位置に変化がなく、ユーザがこれらの通知画像に対する受信順序に基づいた認識を維持することができる。
請求項４の発明によれば、通知画像が消去されると、それが表示されていた縮退部の部位は無表示となることにより、残された他の通知画像の表示位置には変化がなく、ユーザがこれらの通知画像に対する受信順序に基づいた認識を維持することができる。
【発明を実施するための最良の形態】
【０００９】
＜実施形態１＞
図１乃至図４および図７に基づいて、本発明の実施形態１によるナビゲーション装置１およびその制御方法について説明する。尚、図２においては、表示画面２１１の右方に縮退部２１３に表示された複数のアイコンＳＧ１〜ＳＧ３の拡大図を示している。本実施形態による車載通信装置は車室内に搭載され車両乗員（以後ユーザと呼ぶ）によって操作可能なカーナビゲーション装置１（以後、ナビゲーション装置１と呼ぶ）によって形成されている。ナビゲーション装置１は、マイコンを主体として構成された制御装置１９、車両の現在位置を検出するための位置検出器１１、地図データ入力部１６、操作スイッチ入力群１７、外部メモリ２０、カラー液晶ディスプレイ等からなる表示装置２１、スピーカ２３が接続された音声コントローラ２２、マイク２５から入力された音声を認識する音声認識装置２４、ＶＩＣＳセンタ３（ＶＩＣＳ：登録商標）との間で無線通信によりデータの送受信を行うＶＩＣＳ送受信機１８、および外部の無線基地局４Ａとの間で信号（情報）の送受信を行う通信装置２６から構成されている。
【００１０】
位置検出器１１は、車両方位を検出する地磁気センサ１２、車両の回転角速度を検出するジャイロスコープ１３、車両の走行距離を検出する距離センサ１４、人工衛星からの送信電波に基づいて車両の現在位置を検出（測位）するＧＰＳ（Global Positioning System）のためのＧＰＳ受信機１５を有している。各センサ１２〜１５は、それぞれ性質の異なる誤差を有している。このため、制御装置１９は、各センサ１２〜１５の検出値を補間しながら用いることにより、車両の現在位置、進行方向、速度、走行距離、現在時刻等を高精度で検出するようになっている。なお、精度によっては、位置検出器１１を上述したセンサ１２〜１５の一部のみで構成してもよい。また、ステアリングの回転センサや各転動輪の車輪センサ等を用いてもよい。
【００１１】
地図データ入力部１６は、道路地図データ、目印データ、マップマッチング用データ、目的地データ（施設データベース）、交通情報を道路データに変換するためのテーブルデータなどの各種データを記録した地図データ記録メディアからデータを読み出すためのドライブ装置により構成されている。地図データ記録メディアには、ＤＶＤ等の大容量記憶媒体を用いるのが一般的であるが、メモリカード、ハードディスク装置等の媒体を用いてもよい。
【００１２】
外部操作手段である操作スイッチ入力群１７は、表示装置２１の表示画面２１１の近傍に設けられたメカニカルスイッチや、表示画面２１１上に設けられるタッチパネルを含んで構成されている。ユーザは、この操作スイッチ入力群１７を用いて、目的地、目的地の検索に必要な情報（目的地検索条件）、通過点などの入力、表示装置２１の表示画面２１１や表示態様の切り替え（地図縮尺変更、メニュー表示選択、経路探索、経路案内開始、現在位置修正、音量調整等）を行う各種のコマンドの入力を行い、ナビゲーション装置１を作動させることができる。
外部メモリ２０は、フラッシュメモリカード等から構成されている。この外部メモリ２０には、特定のデータ例えば経路案内時に制御装置１９が設定した目的地までの経路のデータ、車両が通過した経路のデータ等が記憶される。
【００１３】
表示装置２１の表示画面２１１には、車両の位置周辺の地図が各種縮尺で表示されるとともに、その表示に重ね合わせて、車両の現在位置と進行方向とを示す現在地マーク（ポインタ）が表示される。また、目的地までの経路案内の実行時には経路案内用の画面が表示される。さらに、ユーザが目的地の検索に必要な情報等を入力したり、目的地の検索や設定を行うための入力用の画面や、各種のメッセージ、あるいはユーザがアクセスして、情報通信網６を介して受信した情報等も表示される。また、車両外部の通信装置から発せられた電子メール等の受信信号に基づいた表示も行われる。
【００１４】
音声認識装置２４は、マイク２５を介して入力した音声と内部に記憶する認識用の辞書データとを照合し、入力された音声を認識する。音声コントローラ２２は、音声認識装置２４を制御して音声認識結果を制御装置１９に出力するとともに、認識された音声はスピーカ２３を介してトークバック出力する。また、制御装置１９からの音声出力指令に基づいて音声出力信号をスピーカ２３に出力する。スピーカ２３から出力される音声は、案内に関する音声、操作説明に関する音声、盗難防止機能の動作中であることを報知する音声、音声認識結果に応じたトークバック音声などである。
【００１５】
制御装置１９を構成するマイコンは、ＣＰＵ、メモリ（ＲＡＭ、ＲＯＭ、ＥＥＰＲＯＭ、フラッシュメモリ等）、Ｉ／Ｏなどを備えている。ＣＰＵがＲＯＭ（またはフラッシュメモリ）に記憶されたプログラムを実行することにより、制御装置１９は、通信デバイス記憶手段、端末データ送信手段、発信規制検出手段、通信デバイス検出手段として機能する。
【００１６】
制御装置１９は、走行経路に沿って移動可能なように、表示装置２１の表示画面２１１に現在地周辺の道路地図を表示するとともに、車両の現在位置と進行方向を示す現在地マークを道路地図に重ね合わせて表示することができる。この場合、車両の走行に伴って現在地の表示は地図上を移動し、地図は車両の位置に応じてスクロール表示される。このとき、車両の現在地を道路上にのせるマップマッチングが行われる。
【００１７】
通信装置２６は本発明の受信手段に該当し、例えば、携帯電話や自動車電話等の携帯端末から構成され、制御手段１９に容易に着脱可能なように接続されている。あるいは、通信装置２６を制御手段１９に一体に組み込んでもよい。通信装置２６が送受信可能な無線基地局４Ａには、交換局５Ａを介して車両外部の情報通信網６が接続されており、情報通信網６には交換局５Ｂを介して無線基地局４Ｂが接続されている。これにより、車両の通信装置２６は外部の通信装置７との間で相互通信可能となっており、電子メールの送受信機能、およびスピーカ２３およびマイク２５を使用した電話機能を有している。
【００１８】
また、情報通信網６は必要なデータを蓄積しておくデータベース９とサーバ８を介して接続されており、ナビゲーション装置１からのリクエストに応じて、サーバ８はデータベース９の情報から必要な情報を加工して、情報通信網６を介しナビゲーション装置１に対し供給することができる。
【００１９】
図２に示すように、表示装置２１の表示画面２１１には、上述した車両の現在位置と進行方向とを示す現在地マークが周辺の地図に重ね合わせられた地図画像である主画像ＰＧが表示可能な主表示部２１２と、複数のアイコンＳＧ１〜ＳＧ３（本発明の通知画像に該当）が同時に表示可能な縮退部２１３とが並んで形成されている。本実施形態においては、縮退部２１３は最大４個のアイコンを表示可能とされている。アイコンＳＧ１〜ＳＧ３は、主表示部２１２に主画像ＰＧが表示されている時に通信装置２６が無線基地局４Ａから信号を受信した（イベントが発生した）場合に、ユーザに信号を受信したことを通知するためのものであって、いずれも主画像ＰＧの表示面積よりも小さい表示面積を備えている。アイコンＳＧ１〜ＳＧ３は、それぞれ受信した信号が含んでいる情報の種類を示すことが可能なデザインに形成されている。表示装置２１は、表示画面２１１上のタッチパネルあるいは表示画面２１１近傍に設けられたメカニカルスイッチの操作により縮退モードを選択でき、縮退モード中に通信装置２６が外部信号を受信した場合にのみ縮退部２１３にアイコンＳＧ１〜ＳＧ３を表示する。
【００２０】
以下、制御装置１９による表示装置２１の制御方法について説明する。主表示部２１２に地図画像である主画像ＰＧが表示されている時に、通信装置２６が外部の通信装置７からの電子メールを受信すると（図７においてステップＳ７０１）、表示装置２１が縮退モード中であるか否かが判定される（ステップＳ７０２）。表示装置２１が縮退モード中でないと判定された場合、表示画面２１１の主表示部２１２に受信した外部信号に基づいて電子メールの内容を表示した画像を表示する（ステップＳ７０３）。通信装置２６が電子メールを受信した時に、ユーザの操作により縮退モードが選択されていた場合、縮退部２１３の上から４番目の縮退表示部２１３ｄ（４番目に限らず、縮退表示部２１３ａ〜２１３ｄは本発明の縮退部の部位に該当）がブランク（無表示）であるか否かを判定する（ステップＳ７０４）。
【００２１】
縮退部２１３の４番目の縮退表示部２１３ｄがブランクであると判定されると、制御装置１９のメモリ内のカウンタ値をｎ＝４とした後（ステップＳ７０５）、ステップＳ７０６においてｎが１つだけデクリメントされて３となる。ステップＳ７０７においてｎが正数であると判定された後、縮退部２１３の上から３番目の縮退表示部２１３ｃがブランクであるか否か判定される（ステップＳ７０８）。縮退部２１３の３番目の縮退表示部２１３ｃがブランクであると判定されるとステップＳ７０６へと戻り、ｎが更に１つだけデクリメントされて２となる。
【００２２】
縮退部２１３の上から２番目の縮退表示部２１３ｂおよび縮退部２１３の１番上の縮退表示部２１３ａもブランクであるため、これ以降同様にしてｎ＝２およびｎ＝１の場合に、ステップＳ７０６からステップＳ７０８が繰り返される。その後、ｎ＝０とされると、ステップＳ７０７においてｎが正数ではないと判定されてステップＳ７１１へと進む。これにより、ステップＳ７１１において、主表示部２１２の表示は変えずに、縮退部２１３の最上位置にある縮退表示部２１３ａに電子メールを受信したことをユーザに通知するためのシンボルが表されたアイコンＳＧ１を表示した後（図２（ａ）示）、ステップＳ７０１へと戻る。
【００２３】
次に、主表示部２１２に地図画像である主画像ＰＧが表示され、縮退部２１３の最上位置にある縮退表示部２１３ａに電子メールを受信したことをユーザに通知するアイコンＳＧ１が表示された状態で、通信装置２６が外部の通信装置７からの電話を受信すると、上述した場合と同様にステップＳ７０１からステップＳ７０５へと進み、ｎ＝４乃至２の場合にステップＳ７０６からステップＳ７０８が繰り返される。その後、ｎ＝１とされてステップＳ７０８において縮退部２１３の１番上の縮退表示部２１３ａがブランクでないと判定されると、主表示部２１２の表示は変えずに、縮退部２１３の上から２番目の縮退表示部２１３ｂに電話を受信したことをユーザに通知するためのシンボルが表されたアイコンＳＧ２を表示した後（ステップＳ７０９、図２（ｂ）示）、ステップＳ７０１へと戻る。
【００２４】
次に、主表示部２１２に地図画像である主画像ＰＧが表示され、縮退部２１３の最上位置にある縮退表示部２１３ａに電子メールを受信したことをユーザに通知するアイコンＳＧ１が表示され、更に縮退部２１３の上から２番目の縮退表示部２１３ｂに電話を受信したことをユーザに通知するアイコンＳＧ２を表示した状態で、通信装置２６がサーバ８からの音楽データを受信すると、上述した場合と同様にステップＳ７０１からステップＳ７０５へと順に進み、ｎ＝４および３の場合にステップＳ７０６からステップＳ７０８が繰り返される。その後、ｎ＝２とされてステップＳ７０８において縮退部２１３の上から２番上の縮退表示部２１３ｂがブランクでないと判定されると、主表示部２１２の表示は変えずに、縮退部２１３の上から３番目の縮退表示部２１３ｃに音楽データを受信したことをユーザに通知するためのシンボルが表されたアイコンＳＧ３を表示した後（ステップＳ７０９、図２（ｃ）示）、ステップＳ７０１へと戻る。
【００２５】
このように、本実施形態によるナビゲーション装置１において、表示画面２１１の縮退部２１３は主画像ＰＧよりも面積の小さい複数のアイコンＳＧ１〜ＳＧ３が同時に表示可能であって、複数のアイコンＳＧ１〜ＳＧ３は、通信装置２６により信号が受信された順序に並べられて表示される。
【００２６】
図３は図２に示した表示装置２１の表示画面２１１を簡略化して示した図である。図３（ａ）は図２（ｃ）に示したものと同様の状態にある表示画面２１１を表した図である。図３および後述する図４において、Ｍと表示された画像は主表示部２１２に表示された地図画像である主画像ＰＧまたは地図画像であることを示すために縮退部２１３に表示されたアイコンＴＧを示し、Ａと表示された画像は電子メールを受信したことをユーザに通知するアイコンＳＧ１または電子メールの信号に基づいて主表示部２１２に表示された電子メールの内容を表す画像ＥＧを示し、Ｂと表示された画像は電話を受信したことをユーザに通知するアイコンＳＧ２を示し、Ｃと表示された画像は音楽データを受信したことをユーザに通知するアイコンＳＧ３を示し、Ｄと表示された画像は信号Ｄを受信したことをユーザに通知するアイコンＳＧ４を示している。
【００２７】
主表示部２１２に地図画像である主画像ＰＧが表示され、縮退部２１３の最上位置にある縮退表示部２１３ａに電子メールを受信したことをユーザに通知するアイコンＳＧ１が表示され、縮退部２１３の上から２番目の縮退表示部２１３ｂに電話を受信したことをユーザに通知するアイコンＳＧ２が表示され、更に縮退部２１３の上から３番目の縮退表示部２１３ｃに音楽データを受信したことをユーザに通知するアイコンＳＧ３が表示された状態において（図３（ａ）示）、ユーザが縮退部２１３の最上位置にある縮退表示部２１３ａに表示されたアイコンＳＧ１にタッチすると、通信装置２６が受信した電子メールの信号に基づいて電子メールの内容を表示する画像ＥＧが、地図画像に代わって主表示部２１２に表示される。これととともに、地図画像（主画像ＰＧ）であることを示すアイコンＴＧが、アイコンＳＧ１が主表示部２１２に表示される前に表示されていた縮退部２１３の最上位置にある縮退表示部２１３ａに表示される（図３（ｂ）示）。
【００２８】
次に、主表示部２１２に表示された画像ＥＧから電子メールの内容を読み終わったユーザが、縮退部２１３の最上位置にある縮退表示部２１３ａに表示された地図画像であることを示すアイコンＴＧにタッチすると、電子メールの内容を表示する画像ＥＧに代わって、再び地図画像である主画像ＰＧが主表示部２１２に表示される。これととともに、地図画像であることを示すアイコンＴＧが消去されて縮退部２１３の最上位置にある縮退表示部２１３ａは無表示となる（図３（ｃ）示）。
【００２９】
次に、通信装置２６が新たな信号Ｄを受信すると（図４（ａ）示）、図７に示したステップＳ７０１からステップＳ７０４へと順に進み、ステップＳ７０４において縮退部２１３の上から４番目の縮退表示部２１３ｄがブランクであると判定される。その後、上述した場合と同様にステップＳ７０５乃至ステップＳ７０７を経て、ステップＳ７０８において縮退部２１３の上から３番目の縮退表示部２１３ｃがブランクではないと判定された後、縮退部２１３の上から４番目の縮退表示部２１３ｄに信号Ｄを受信したことをユーザに通知するアイコンＳＧ４を表示した後（ステップＳ７０９、図４（ｂ）示）、ステップＳ７０１へと戻る。
【００３０】
次に、更に通信装置２６が新たな信号Ｅを受信すると（図４（ｃ）示）、図７に示したステップＳ７０１からステップＳ７０４へと順に進み、ステップＳ７０４において縮退部２１３の上から４番目の縮退表示部２１３ｄがブランクではないと判定される。これにより、ステップＳ７１０において、表示画面２１１の主表示部２１２に『Ｅは表示できません』というコメントを表示するとともに、ナビゲーション装置１のスピーカ２３から『Ｅは表示できません』というメッセージを発声させた後（図４（ｃ）示）、ステップＳ７０１へと戻る。この場合、表示画面２１１によるコメントの表示とスピーカ２３によるメッセージの発声のうちの、いずれかのみを実行してもよい。このように、本実施形態においては、新たな信号Ｅを受信した時に縮退部２１３の最上位置にある縮退表示部２１３ａがブランクとなっていても、他の信号の受信順序が早いことを考慮して、信号Ｅを受信したことをユーザに通知するアイコンを縮退表示部２１３ａに表示することはしない。
【００３１】
本実施形態によれば、表示装置２１の表示画面２１１は、主画像ＰＧを表示可能な主表示部２１２と主画像ＰＧよりも小さい面積の画像が表示される縮退部２１３とが並んで形成され、制御装置１９は主表示部２１２に主画像ＰＧが表示されている時に、通信装置２６が信号を受信した場合に、信号を受信したことを通知するアイコンＳＧ１〜ＳＧ３を縮退部２１３に表示させる。このため、主表示部２１２における主画像ＰＧの表示を妨げることなく、アイコンＳＧ１〜ＳＧ３を縮退部２１３に表示することにより、ユーザに対し信号の受信があったことを明確に通知することができる。
【００３２】
また、複数のアイコンＳＧ１〜ＳＧ３は、縮退部２１３において通信装置２６により信号が受信された順序に並べられて表示されることにより、ユーザが信号を受信したことを受信順に認識することができる。
また、ユーザの操作があると縮退部２１３に表示されたアイコンＳＧ１について、その受信した信号に基づく画像ＥＧを主画像ＰＧの代わりに主表示部２１２に表示するとともに、地図画像であることを示すために縮退部２１３に表示されたアイコンＴＧを、主表示部２１２に表示されたアイコンＳＧ１がかつて表示されていた縮退部２１３の最上位置にある縮退表示部２１３ａに表示する。これにより、主表示部２１２に表示されずに残された他のアイコンＳＧ２、ＳＧ３の表示位置に変化がなく、ユーザがこれらのアイコンＳＧ２、ＳＧ３に対する受信順序に基づいた認識を維持することができる。
【００３３】
＜実施形態２＞
次に、図５、図６および図８に基づいて実施形態２について説明する。尚、図５および図６においてＥおよびＦと表示された画像は、それぞれ信号ＥおよびＦを受信したことをユーザに通知するアイコンＳＧ５およびＳＧ６を示し、Ａ乃至ＤおよびＭと表示された画像は実施形態１による場合と同様の画像を示している。また、図５（ａ）および図５（ｂ）は、それぞれ図４（ａ）および図４（ｂ）に示したものと同様の状態にある表示画面２１１を表した図である。
【００３４】
主表示部２１２に地図画像である主画像ＰＧが表示され、縮退部２１３の上から２番目の縮退表示部２１３ｂに電話を受信したことをユーザに通知するアイコンＳＧ２が表示され、縮退部２１３の上から３番目の縮退表示部２１３ｃに音楽データを受信したことをユーザに通知するアイコンＳＧ３が表示され、更に縮退部２１３の上から４番目の縮退表示部２１３ｄに信号Ｄを受信したことをユーザに通知するアイコンＳＧ４が表示された状態において、通信装置２６が新たな信号Ｅを受信すると（図５（ｃ）示）、図８に示したステップＳ８０１からステップＳ８０４へと順に進み、ステップＳ８０４において縮退部２１３の上から４番目の縮退表示部２１３ｄがブランクではないと判定される。したがって、これ以降、縮退部２１３の最上位置にある縮退表示部２１３ａに戻って、信号Ｅを受信したことをユーザに通知するアイコンＳＧ５を表示する縮退表示部を探すことになる。
【００３５】
ステップＳ８１１において制御装置１９のメモリ内のカウンタ値をｎ＝０とした後、ステップＳ８１２においてｎが１つだけインクリメントされて１となる。ステップＳ８１３においてｎが４より小さいと判定された後、縮退部２１３の最上位置にある縮退表示部２１３ａがブランクであるか否か判定される（ステップＳ８１４）。縮退部２１３の最上位置にある縮退表示部２１３ａがブランクであると判定されるとステップＳ８１５において、縮退表示部２１３ａに信号Ｅを受信したことをユーザに通知するアイコンＳＧ５を表示した後（図６（ａ）示）、ステップＳ８０１へと戻る。
【００３６】
次に、更に通信装置２６が新たな信号Ｆを受信すると（図６（ｂ）示）、ステップＳ８０１からステップＳ８０４へと順に進み、ステップＳ８０４において縮退部２１３の上から４番目の縮退表示部２１３ｄがブランクではないと判定される。ステップＳ８１１において制御装置１９のメモリ内のカウンタ値をｎ＝０とした後、ステップＳ８１２においてｎが１つだけインクリメントされて１となる。ステップＳ８１３においてｎが４より小さいと判定された後、縮退部２１３の最上位置にある縮退表示部２１３ａがブランクであるか否か判定される（ステップＳ８１４）。縮退部２１３の最上位置にある縮退表示部２１３ａがブランクではない判定されるとステップＳ８１２へと戻り、ｎが更に１つだけインクリメントされて２となる。
【００３７】
この時、縮退部２１３の上から２番目の縮退表示部２１３ｂおよび縮退部２１３の上から３番目の縮退表示部２１３ｃもブランクではないため、これ以降ステップＳ８１２乃至ステップＳ８１４を二巡した後、ステップＳ８１２においてｎ＝４とされる。ステップＳ８１３においてｎ＝４であると判定されるとステップＳ８１６へと進み、縮退部２１３の上から２番目の縮退表示部２１３ｂに表示されている受信が最も古いアイコンＳＧ２を消去して、新たに信号Ｆを受信したことをユーザに通知するアイコンＳＧ６を表示する（図６（ｃ）示）。図８に示したフローチャートにおいて、その他のステップについては上述した実施形態１の場合と同様であるため説明は省略する。
【００３８】
＜実施形態３＞
次に、図９に基づいて実施形態３について説明する。尚、図９においては、表示画面２１１の右方に縮退部２１３の拡大図を示している。いま、主表示部２１２に地図画像である主画像ＰＧが表示され、縮退部２１３の最上位置にある縮退表示部２１３ａに電子メールを受信したことをユーザに通知するアイコンＳＧ１が表示され、縮退部２１３の上から２番目の縮退表示部２１３ｂに電話を受信したことをユーザに通知するアイコンＳＧ２が表示され、更に縮退部２１３の上から３番目の縮退表示部２１３ｃに音楽データを受信したことをユーザに通知するアイコンＳＧ３が表示された状態にある（図９（ａ）示）。
【００３９】
この場合において、車両外部の通信装置７が操作されて電話の発信が停止（中断）されると、外部の通信装置７とナビゲーション装置１の通信装置２６との間の電話回線の接続が切断される。これにより、縮退部２１３の上から２番目の縮退表示部２１３ｂに表示されていた電話を受信したことをユーザに通知するアイコンＳＧ２が、縮退表示部２１３ｂ上において、その電話回線の接続が切断され、通信装置２６による受信が停止したことを通知するアイコンＳＧＣへと変わる（図９（ｂ）示）。
その後、縮退表示部２１３ｂ上において所定時間だけ表示された後に、通信装置２６による受信が停止したことを通知するアイコンＳＧＣは消去され、縮退部２１３の上から２番目の縮退表示部２１３ｂは無表示の状態となる（図９（ｃ）示）。
【００４０】
本実施形態によれば、アイコンＳＧ２が消去されると、それが表示されていた縮退表示部２１３ｂは無表示となることにより、残された他のアイコンＳＧ１、ＳＧ３の表示位置には変化がなく、ユーザがこれらのアイコンＳＧ１、ＳＧ３に対する受信順序に基づいた認識を維持することができる。
【００４１】
＜他の実施形態＞
本発明はマルチメディア装置のような、ナビゲーション装置以外の車載通信装置にも適用可能である。
縮退部に形成されてアイコンが表示される縮退表示部は１つでもよいし、また表示画面上に形成可能であればいくつあってもよい。
車両の通信装置が受信する信号（情報）は、電子メール、電話および音楽データに限定されるものではない。
【図面の簡単な説明】
【００４２】
【図１】実施形態１によるカーナビゲーション装置の全体構成を示すブロック図
【図２】図１に示した表示装置の表示画面において、主表示部に地図画像が表示され、最上位置にある縮退表示部に電子メールを受信したことをユーザに通知するアイコンが表示された状態を示した正面図（ａ）、更に上から２番目の縮退表示部に電話を受信したことをユーザに通知するアイコンが表示された状態を示した正面図（ｂ）、更に上から３番目の縮退表示部に音楽データを受信したことをユーザに通知するアイコンが表示された状態を示した正面図（ｃ）
【図３】図１に示した表示装置の表示画面において、主表示部に地図画像が表示され、最上位置にある縮退表示部に電子メールを受信したことをユーザに通知するアイコンが表示され、上から２番目の縮退表示部に電話を受信したことをユーザに通知するアイコンが表示され、更に上から３番目の縮退表示部に音楽データを受信したことをユーザに通知するアイコンが表示された状態を示した簡略図（ａ）、電子メールの信号に基づいて電子メールの内容を表示する画像が、地図画像に代わって主表示部に表示された状態を示した簡略図（ｂ）、電子メールを見た後、電子メールの内容を表示する画像が消去された状態を示した簡略図（ｃ）
【図４】図１に示した表示装置の表示画面において、主表示部に地図画像が表示され、上から２番目の縮退表示部に電話を受信したことをユーザに通知するアイコンが表示され、更に上から３番目の縮退表示部に音楽データを受信したことをユーザに通知するアイコンが表示された状態を示した簡略図（ａ）、更に上から４番目の縮退表示部に信号Ｄを受信したことをユーザに通知するアイコンが表示された状態を示した簡略図（ｂ）、更に信号Ｅを受信し、信号Ｅを受信したことをユーザに通知するアイコンが表示できないことを通知している状態を示した簡略図（ｃ）
【図５】実施形態２による表示装置の表示画面において、主表示部に地図画像が表示され、上から２番目の縮退表示部に電話を受信したことをユーザに通知するアイコンが表示され、更に上から３番目の縮退表示部に音楽データを受信したことをユーザに通知するアイコンが表示された状態を示した簡略図（ａ）、更に上から４番目の縮退表示部に信号Ｄを受信したことをユーザに通知するアイコンが表示された状態を示した簡略図（ｂ）、更に信号Ｅを受信した状態を示した簡略図（ｃ）
【図６】信号Ｅを受信したことをユーザに通知するアイコンを最上位置にある縮退表示部に表示した状態を示した簡略図（ａ）、更に信号Ｆを受信した状態を示した簡略図（ｂ）、上から２番目の縮退表示部に表示されていた電話を受信したことをユーザに通知するアイコンを消去して、代わりに信号Ｆを受信したことをユーザに通知するアイコンが表示された状態を示した簡略図（ｃ）
【図７】実施形態１によるカーナビゲーション装置の表示装置の制御方法を示したフローチャート
【図８】実施形態２によるカーナビゲーション装置の表示装置の制御方法を示したフローチャート
【図９】実施形態３による表示装置の表示画面において、主表示部に地図画像が表示され、最上位置にある縮退表示部に電子メールを受信したことをユーザに通知するアイコンが表示され、上から２番目の縮退表示部に電話を受信したことをユーザに通知するアイコンが表示され、更に上から３番目の縮退表示部に音楽データを受信したことをユーザに通知するアイコンが表示された状態を示した正面図（ａ）、上から２番目の縮退表示部に表示されたアイコンが電話回線の接続が切断されたことをユーザに通知するアイコンに切り換わった状態を示した正面図（ｂ）、上から２番目の縮退表示部に表示されたアイコンが消去された状態を示した正面図（ｃ）
【符号の説明】
【００４３】
図面中、１はカーナビゲーション装置（車載通信装置）、１９は制御装置、２１は表示装置、２６は通信装置（受信手段）、２１１は表示画面、２１２は主表示部、２１３は縮退部、２１３ａ〜２１３ｄは縮退表示部（縮退部の部位）、ＰＧは主画像、ＳＧ１〜ＳＧ６はアイコン（通知画像）を示している。
【図１】
2008120169.tif 000003
【図２】
2008120169.tif 000004
【図３】
2008120169.tif 000005
【図４】
2008120169.tif 000006
【図５】
2008120169.tif 000007
【図６】
2008120169.tif 000008
【図７】
2008120169.tif 000009
【図８】
2008120169.tif 000010
【図９】
2008120169.tif 000011